(57)【要約】【課題】      １本の直立パイプに複数本の水平パイプを同一高さ位置で保持して固定することができる簡素な構成で簡便なパイプ用クランプを提供することを課題とする。【解決手段】  １本の水平パイプ２を保持する水平パイプ保持部１１と直立パイプ４に固定する直立パイプ固定部１２とを有するメインクランプ１０と、他の１本の水平パイプ２を保持する水平パイプ保持部２１と直立パイプ４に沿う曲面部２５を備えた直立パイプ取付部２２とを有するサブクランプ２０を構成し、メインクランプ１０の直立パイプ固定部１２にてサブクランプ２０の直立パイプ取付部２２を直立パイプ４に沿わせて固定する。【選択図】図３
2010007440.tif 000002
【特許請求の範囲】
【請求項１】
１本の直立パイプに２本の水平パイプを同一高さ位置で保持して固定するためのクランプであって、
１本の水平パイプを保持すると共に直立パイプに固定するメインクランプと、他の１本の水平パイプを保持すると共にメインクランプにて直立パイプに固定されるサブクランプと、から成り、
メインクランプは、１本の水平パイプを保持する水平パイプ保持部と、直立パイプに固定する直立パイプ固定部とを有し、水平パイプ保持部の一端縁は直立パイプの中心軸を含む仮想平面内に位置し、
サブクランプは、他の１本の水平パイプを保持する水平パイプ保持部と、直立パイプに沿う曲面部を備えた直立パイプ取付部とを有し、水平パイプ保持部の一端縁は直立パイプの中心軸を含む仮想平面内に位置し、
メインクランプの直立パイプ固定部にてサブクランプの直立パイプ取付部を直立パイプに沿わせて固定するものであるパイプ用クランプ。
【請求項２】
メインクランプの水平パイプ保持部と直立パイプ固定部とが互いに回動自在となっているものである請求項１に記載のパイプ用クランプ。
【請求項３】
サブクランプの水平パイプ保持部と直立パイプ取付部とが互いに回動自在となっているものである請求項１に記載のパイプ用クランプ。
【請求項４】
メインクランプにて多数のサブクランプを直立パイプに固定するものである請求項１乃至請求項３のいずれかに記載のパイプ用クランプ。
【発明の詳細な説明】
【技術分野】
【０００１】  本発明は建築や土木など各種の工事現場において使用する足場パイプを固定するためのパイプ用クランプに関するものであり、より詳しくは直立するパイプに複数本の水平パイプを同一高さ位置で保持して固定することができるパイプ用クランプに関するものである。
【背景技術】
【０００２】  建築工事や土木工事など各種の工事現場においては、種々の作業や資材の運搬あるいは部品の固定など、様々な目的に応じて足場パイプを用いて足場を作り使用している。また、足場として使用する以外にも、例えば塀や囲いのようなもの、あるいは棚や資材置場などを作製するためにも足場パイプが使用されているほか、通路に沿わせて設ける手摺りなどとしても使用されている。
この足場パイプを用いる際には、パイプ同士を互いに固定するために図５に示すようなパイプ用クランプ１が用いられる。このパイプ用クランプ１は、水平パイプ２を保持する水平パイプ保持部３と、直立パイプ４に固定する直立パイプ固定部５とからなっている。水平パイプ保持部３および直立パイプ固定部５は、それぞれベース部６と回動ピンＰで連結された可動部７および締付ボルト８とから成っており、それぞれパイプをベース部６と可動部７とで挟み込んで締付ボルト８にて締付けることにより水平パイプ２と直立パイプ４とを互いに固定することができるようになっている。
尚、このようなパイプ用クランプについては、水平パイプ保持部３と直立パイプ固定部５とが互いに直交状態で固定されている「直交クランプ」あるいは「固定クランプ」と称されるものや、互いに回動自在となっている「自在クランプ」と称されるものなどがある。この「自在クランプ」は、図５において矢示Ａで示すように水平パイプ２を自在に回動することができるようになっている。【０００３】  ところで、このパイプ用クランプ１を用いて、例えば手摺りなどを作製する場合には、図６に示すように直立パイプ４に対して２個のパイプ用クランプ１を用いる必要があるが、２個のパイプ用クランプ１を直立パイプ４に同一高さ位置で固定することはできないことから、手摺り用の２本の水平パイプ２、２は段違いになってしまう。
これでは手摺りとして安全性を欠き使い勝手が悪く見栄えも良くないことから、２本の水平パイプ２を同一高さ位置で保持して固定するために、図７に示すように直立パイプ４を３本使用し、固定型のパイプ用クランプ１を２個、そして自在型のパイプ用クランプ９を２個用いていた。【０００４】  しかしながら、このような構成としたのでは足場パイプやパイプ用クランプなどの資材コストが著しく嵩むほか、現場での設置作業や撤去作業も甚だ煩雑となることから、予てより簡素化および省力化が切に望まれていた。
【発明の開示】
【発明が解決しようとする課題】
【０００５】
【０００６】  本発明は、このような現状に鑑みて成されたものであり、簡素な構成で簡便に、１本の直立パイプに複数本の水平パイプを同一高さ位置で保持して固定することができるパイプ用クランプを提供することを課題とするものである。
【課題を解決するための手段】
【０００７】  上記のような課題を解決するために、本発明のパイプ用クランプは、メインクランプとサブクランプとから成るものであり、メインクランプは１本の水平パイプを保持する水平パイプ保持部と、直立パイプに固定する直立パイプ固定部とを有し、水平パイプ保持部の一端縁は直立パイプの中心軸を含む仮想平面内に位置しており、サブクランプは他の１本の水平パイプを保持する水平パイプ保持部と、直立パイプに沿う曲面部を備えた直立パイプ取付部とを有し、水平パイプ保持部の一端縁は直立パイプの中心軸を含む仮想平面内に位置しており、メインクランプの直立パイプ固定部にてサブクランプの直立パイプ取付部を直立パイプに沿わせて固定するものである。
また、メインクランプの水平パイプ保持部と直立パイプ固定部とが互いに回動自在となっているものであるほか、サブクランプの水平パイプ保持部と直立パイプ取付部とが互いに回動自在となっているものである。
更には、メインクランプにて多数のサブクランプを直立パイプに固定するものである
【発明の効果】
【０００８】  本発明のパイプ用クランプは、このような構成としたことにより、１本の直立パイプに複数本の水平パイプを同一高さ位置で保持して固定することができることから、資材コストを格段に低減することができると共に現場での設置作業や撤去作業も著しく簡便となり、簡素化および省力化を図ることができる。
【発明を実施するための最良の形態】
【０００９】
【実施例】
【００１０】  本案の実施例を以下、図面に基づいて説明する。尚、各図に共通する部分には同一の符号を付し、重複する説明は省略する。
図１および図２は本発明の実施例を示す概略図であり、図１（ａ）と図１（ｂ）はメインクランプ１０の概略斜視図と概略平面図、図２（ａ）と図２（ｂ）はサブクランプ２０の概略斜視図と概略平面図である。
メインクランプ１０は、水平パイプ保持部１１と直立パイプ固定部１２とから成っている。水平パイプ保持部１１はベース部１３と回動ピンＰで連結された可動部１４および締付ボルト１５とから構成されており、直立パイプ固定部１２はベース部１６と回動ピンＰで連結された可動部１７および締付ボルト１５とから構成されている。そして、水平パイプ保持部１１の一端縁ＧＭは直立パイプの中心軸Ｑを含む仮想平面内に位置している。
サブクランプ２０は、水平パイプ保持部２１と直立パイプ取付部２２とから成っている。水平パイプ保持部２１はベース部２３と回動ピンＰで連結された可動部２４および締付ボルト１５とから構成されており、直立パイプ取付部２２は直立パイプに沿う曲面部２５を備えている。そして、水平パイプ保持部２１の一端縁ＧＳは直立パイプの中心軸Ｑを含む仮想平面内に位置している。
尚、サブクランプ２０の直立パイプ取付部２２については、本実施例では板状の曲面部２５を備えたものとなっているが、これに限らず直立パイプに沿いメインクランプ１０の直立パイプ固定部１２にて直立パイプに固定され得る形状であれば適宜に設計可能である。【００１１】  図３は本発明のパイプ用クランプの使用状態を示す概略斜視図である。本発明のパイプ用クランプはメインクランプ１０とサブクランプ２０とを組合わせて使用するものでありメインクランプ１０の直立パイプ固定部１２によりサブクランプ２０の直立パイプ取付部２２を直立パイプに沿わせて固定することができるようになっている。このような構成としたことにより、１本の直立パイプ４に２本の水平パイプ２を同一高さ位置にて保持して固定することができるものである。
図４（ａ）は図３に示す使用状態についての概略平面図であり、メインクランプ１０の水平パイプ保持部１１の一端縁ＧＭと、サブクランプ２０の水平パイプ保持部２１の一端縁ＧＳとが直立パイプ４の中心軸Ｑを含む仮想平面内に位置していることにより、２本の水平パイプ２，２を平面視においても直線状に固定することができるようになっている。【００１２】  図４（ｂ）は、１個のメインクランプ１０と２個のサブクランプ２０を使用する状態を示す概略平面図であり、このように複数のサブクランプ２０を使用することにより、種々の用途に広く対応することも可能である。
更にメインクランプ１０やサブクランプ２０を固定型あるいは自在型として適宜に組合せ使用することにより、一層多彩な用途に対応することも可能である。
【産業上の利用可能性】
【００１３】  以上、説明してきた如く本発明のパイプ用クランプは、このような構成となっていることによりメインクランプ１０とサブクランプ２０の一組だけで１本の直立パイプ４に２本の水平パイプ２を同一高さ位置にて保持して固定することができるものであり、資材コストを格段に低減することができると共に現場での設置作業や撤去作業も著しく簡便となり、簡素化および省力化を図ることができる。
特に本案のパイプ用クランプにて手摺りを作製した場合には、手摺りとなる水平パイプ２が段差なく固定されることにより安全性が格段に高まると共に、各種の作業や資材の運搬などにおける使い勝手が非常に良くなり、外観上の見栄えも極めて良くなるものである。
また、塀や囲いのようなもの、あるいは棚や資材置場などを作製する場合にも、本案のパイプ用クランプを使用すれば極めて多彩なデザインが可能であり、様々な目的や用途あるいは条件に広く対応することができ、各方面にて多様な活用が期待されるものである。
尚、本案のサブクランプ２０は従来のパイプクランプと組合せて使用することも可能であるほか、メインクランプ１０は単独での使用も可能であるなど、汎用性の高いものであることから、一層広い範囲での活用が期待される。
【図面の簡単な説明】
【００１４】
【図１】  （ａ）（ｂ）はそれぞれ本発明のパイプ用クランプのメインクランプの実施例を示す概略斜視図と概略平面図。
【図２】  （ａ）（ｂ）はそれぞれ本発明のパイプ用クランプのサブクランプの実施例を示す概略斜視図と概略平面図。
【図３】  本発明のパイプ用クランプの使用状態を示す概略斜視図
【図４】  （ａ）は図３に示す使用状態についての概略平面図、（ｂ）は本発明の他の使用状態についての概略平面図
【図５】  従来例を示す概略斜視図。
【図６】  他の従来例を示す概略斜視図。
【図７】  別の従来例を示す概略斜視図。
【符号の説明】
２          …  水平パイプ
４          …  直立パイプ
１０        …  メインクランプ
１１、２１  …  水平パイプ保持部
１２        …  直立パイプ固定部
２０        …  サブクランプ
２２        …  直立パイプ取付部
２５        …  曲面部
【図１】
2010007440.tif 000003
【図２】
2010007440.tif 000004
【図３】
2010007440.tif 000005
【図４】
2010007440.tif 000006
【図５】
2010007440.tif 000007
【図６】
2010007440.tif 000008
【図７】
2010007440.tif 000009